(57)【要約】【課題】  １個又は複数個のマイクロニードルを皮膚上の硬さ等の異なる場所に対しても確実に突き刺すことができ、液体を外部に流出させることなく確実に皮膚内に注射できるマイクロニードルアレイ装置を提供すること。【解決手段】  １個又は複数個のマイクロニードルを備え穿刺対象領域の一部をカバーするマイクロニードルユニットとその後方に接続されたマイクロニードルユニットケースからなるマイクロニードルアレイと、マイクロニードルアレイが設置されマイクロニードルアレイをガイドするガイド部材と、複数の係合部を備えガイド部材が任意の係合部に係合・設置される設置部とを具備し、マイクロニードルアレイをガイド部材に設置し、ガイド部材の係合部に対する係合位置を順次ずらし、マイクロニードルアレイのマイクロニードルの突き刺し位置を決定し、穿刺対象領域全体をカバーするようにしたもの。【選択図】  図１
2013135731.tif 000002
【特許請求の範囲】
【請求項１】
１個又は複数個のマイクロニードルを備え穿刺対象領域の一部をカバーするマイクロニードルユニットと該マイクロニードルユニットの後方に接続されたマイクロニードルユニットケースとからなるマイクロニードルアレイと、
上記マイクロニードルアレイが設置されるとともに上記マイクロニードルアレイをガイドするガイド部材と、
複数の係合部を備え上記ガイド部材が上記複数の係合部のうちの任意の係合部に係合・設置される設置部と、
を具備し、
上記マイクロニードルアレイを上記ガイド部材に設置し、
上記ガイド部材の上記複数の係合部に対する係合位置を順次ずらしていくことにより、上記マイクロニードルアレイの上記マイクロニードルの突き刺し位置を決定するとともに、上記穿刺対象領域全体をカバーするようにしたことを特徴とするマイクロニードルアレイ装置。
【請求項２】
請求項１記載のマイクロニードルアレイ装置において、
上記ガイド部材には傾斜面が設けられており、
上記マイクロニードルアレイは上記ガイド部材の傾斜面に沿って移動可能に設置されるものであることを特徴とするマイクロニードルアレイ装置。
【請求項３】
請求項２記載のマイクロニードルアレイ装置において、
上記マイクロニードルユニットケースには上記ガイド部材上での上記マイクロニードルアレイの傾斜面下り方向への移動を所定量に規制する移動規制部材が設けられており、
上記移動規制部材による移動規制量を増減することによって上記マイクロニードルの突き刺し量を調整するようにしたことを特徴とするマイクロニードルアレイ装置。
【請求項４】
請求項２記載のマイクロニードルアレイ装置において、
上記マイクロニードルユニットケースの後方側には上記マイクロニードルアレイを上記ガイド部材の傾斜面に沿って移動させるように駆動する駆動手段が設けられており、
上記駆動手段による移動量を増減することによって上記マイクロニードルの突き刺し量を調整するようにしたことを特徴とするマイクロニードルアレイ装置。
【請求項５】
請求項１〜請求項４の何れかに記載のマイクロニードルアレイ装置において、
上記設置部には上記マイクロニードルアレイによる注射位置に対応する貫通孔が形成されていることを特徴とするマイクロニードルアレイ装置。
【請求項６】
請求項１〜請求項５の何れかに記載のマイクロニードルアレイ装置において、
上記設置部には上記マイクロニードルアレイによる突き刺しの対象物を固定する対象物固定部が設けられていることを特徴とするマイクロニードルアレイ装置。
【請求項７】
請求項１〜請求項６の何れかに記載のマイクロニードルアレイ装置において、
上記マイクロニードルアレイユニットの内部には上記マイクロニードル先端側の開口部と連通されたマイクロニードル側流路が設けられており、
上記マイクロニードルユニットケースには上記マイクロニードル側流路と連通されるケース側流路が設けられていることを特徴とするマイクロニードルアレイ装置。
【請求項８】
請求項１〜請求項７の何れかに記載のマイクロニードルアレイ装置において、
上記穿刺対象領域は複数のマイクロニードルを複数列・複数行に配置してカバーされるものであり、上記マイクロニードルユニットは複数のマイクロニードルを一列に配置して構成されていることを特徴とするマイクロニードルアレイ装置。
【発明の詳細な説明】
【技術分野】
【０００１】
本発明は、例えば、マイクロニードルを皮膚上の複数の箇所に突き刺して注射を行うマイクロニードルアレイ装置に係り、特に、１個又は複数個のマイクロニードルを、皮膚上の硬さ等の異なる場所に対しても確実に突き刺すことができ、液体を外部に流出させることなく確実に皮膚内に注射できるように工夫したものに関する。
【０００２】
従来、マイクロニードルアレイは、特許文献１に示されるようなものが知られていた。このマイクロニードルアレイは、樹脂製の基板上に複数のマイクロニードルを垂直に形成したものである。
このようなマイクロニードルアレイ１０１は、例えば、図１４（ａ）に示すような形態で用いられるものである。すなわち、皮膚１０３に対して、上記マイクロニードルアレイ１０１に形成された複数のマイクロニードル１０５を垂直に突き刺すものである。
【０００３】
しかし、このように上記皮膚１０３に対して垂直に上記マイクロニードル１０５を突き刺そうとしても、図１４（ａ）に示されるように、上記皮膚１０３の表面が変形してしまい、上記マイクロニードル１０５を必要な深さまで突き刺すことが困難であった。
また、上記皮膚１０３の表面が変形してしまうため、上記マイクロニードル１０５を必要な深さまで突き刺そうとすると、上記マイクロニードルアレイ１０１を強く押し込まなければならず、患者に対して痛みを与えてしまうことになる。
【０００４】
そこで、図１４（ｂ）に示すように、マイクロニードルユニット１０７を傾斜させることで、マイクロニードル１０７ａを上記皮膚１０３に対して斜めに突き刺すようにすることが、特願２０１１−０１７３１９（本件特許出願人による出願、未公開）によって提案されている。図１４（ｂ）に示すように、上記マイクロニードル１０７ａを上記皮膚１０３に対して斜めに突き刺せば、上記皮膚１０３の変形を防止し、上記マイクロニードル１０７ａの先端部を十分に上記皮膚１０３内に突き刺すことができる。これにより、上記マイクロニードル１０７ａを突き刺す際の痛みを軽減することができると共に、上記皮膚１０３表面への薬液の漏れ出しを防止することができる。
【０００５】
そして、上記マイクロニードルユニット１０７には複数（例えば３つ）の上記マイクロニードル１０７ａが設けられており、更に複数（例えば、２つ）の上記マイクロニードルユニット１０７がケースに傾斜された状態で収められ、マイクロニードルアレイが構成されている。
また、上記マイクロニードルアレイは、皮膚上に設置される治具上に設置され、突き刺し用の治具によって付勢されることによって、上記皮膚１０３に対する上記複数のマイクロニードル１０７ａの突き刺しを行う。すなわち、上記マイクロニードルアレイは、これらの治具と組み合わされることによってマイクロニードルアレイ装置を構成するものである。
【先行技術文献】
【特許文献】
【０００６】
【特許文献１】特開２００８−２９５５９号公報
【発明の概要】
【発明が解決しようとする課題】
【０００７】
上記従来の構成によると次のような問題点があった。
まず、上記複数のマイクロニードル１０５や上記複数のマイクロニードル１０７ａを全て均等に突き刺すことが困難である。すなわち、上記皮膚１０３の表面の硬さは場所によって異なっているが、上記マイクロニードルアレイ１０１や上記特願２０１１−０１７３１９の明細書に記載されたマイクロニードルアレイは、上記複数のマイクロニードル１０５や上記複数のマイクロニードル１０７aを広い範囲にわたって一度に突き刺そうとするものであるため、個々のマイクロニードル１０５やマイクロニードル１０７ａの突き刺しの可否や突き刺し深さにバラツキが出てしまう。
また、十分な深さに突き刺すことができなかった上記マイクロニードル１０５や上記マイクロニードル１０７ａからは薬液が漏れ出てしまうという問題があった。また、上記複数のマイクロニードル１０５や上記複数のマイクロニードル１０７ａの突き刺し深さの制御も困難である。
【０００８】
本願発明は、このような点に基づいてなされたもので、その目的とするところは、１個又は複数個のマイクロニードルを皮膚上の硬さ等の異なる場所に対しても確実に突き刺すことができ、液体を外部に流出させることなく確実に皮膚内に注射できるマイクロニードルアレイ装置を提供することにある。
【課題を解決するための手段】
【０００９】
上記課題を解決するべく請求項１に記載されたマイクロニードルアレイ装置は、１個又は複数個のマイクロニードルを備え穿刺対象領域の一部をカバーするマイクロニードルユニットと該マイクロニードルユニットの後方に接続されたマイクロニードルユニットケースとからなるマイクロニードルアレイと、上記マイクロニードルアレイが設置されるとともに上記マイクロニードルアレイをガイドするガイド部材と、複数の係合部を備え上記ガイド部材が上記複数の係合部のうちの任意の係合部に係合・設置される設置部と、を具備し、上記マイクロニードルアレイを上記ガイド部材に設置し、上記ガイド部材の上記複数の係合部に対する係合位置を順次ずらしていくことにより、上記マイクロニードルアレイの上記マイクロニードルの突き刺し位置を決定するとともに、上記穿刺対象領域全体をカバーするようにしたことを特徴とするものである。
また、請求項２記載のマイクロニードルアレイ装置は、請求項１記載のマイクロニードルアレイ装置において、上記ガイド部材には傾斜面が設けられており、上記マイクロニードルアレイは上記ガイド部材の傾斜面に沿って移動可能に設置されるものであることを特徴とするものである。
また、請求項３記載のマイクロニードルアレイ装置は、請求項２記載のマイクロニードルアレイ装置において、上記マイクロニードルユニットケースには上記ガイド部材上での上記マイクロニードルアレイの傾斜面下り方向への移動を所定量に規制する移動規制部材が設けられており、上記移動規制部材による移動規制量を増減することによって上記マイクロニードルの突き刺し量を調整するようにしたことを特徴とするものである。
また、請求項４記載のマイクロニードルアレイ装置は、請求項２記載のマイクロニードルアレイ装置において、上記マイクロニードルユニットケースの後方側には上記マイクロニードルアレイを上記ガイド部材の傾斜面に沿って移動させるように駆動する駆動手段が設けられており、上記駆動手段による移動量を増減することによって上記マイクロニードルの突き刺し量を調整するようにしたことを特徴とするものである。
また、請求項５記載のマイクロニードルアレイ装置は、請求項１〜請求項４の何れかに記載のマイクロニードルアレイ装置において、上記設置部には上記マイクロニードルアレイによる注射位置に対応する貫通孔が形成されていることを特徴とするものである。
また、請求項６記載のマイクロニードルアレイ装置は、請求項１〜請求項５の何れかに記載のマイクロニードルアレイ装置において、上記設置部には上記マイクロニードルアレイによる突き刺しの対象物を固定する対象物固定部が設けられていることを特徴とするものである。
また、請求項７記載のマイクロニードルアレイ装置は、請求項１〜請求項６の何れかに記載のマイクロニードルアレイ装置において、上記マイクロニードルアレイユニットの内部には上記マイクロニードル先端側の開口部と連通されたマイクロニードル側流路が設けられており、上記マイクロニードルユニットケースには上記マイクロニードル側流路と連通されるケース側流路が設けられていることを特徴とするものである。
また、請求項８記載のマイクロニードルアレイ装置は、請求項１〜請求項７の何れかに記載のマイクロニードルアレイ装置において、上記穿刺対象領域は複数のマイクロニードルを複数列・複数行に配置してカバーされるものであり、上記マイクロニードルユニットは複数のマイクロニードルを一列に配置して構成されていることを特徴とするものである。
【発明の効果】
【００１０】
以上述べたように、請求項１記載のマイクロニードルアレイ装置は、１個又は複数個のマイクロニードルを備え穿刺対象領域の一部をカバーするマイクロニードルユニットと該マイクロニードルユニットの後方に接続されたマイクロニードルユニットケースとからなるマイクロニードルアレイと、上記マイクロニードルアレイが設置されるとともに上記マイクロニードルアレイをガイドするガイド部材と、複数の係合部を備え上記ガイド部材が上記複数の係合部のうちの任意の係合部に係合・設置される設置部と、を具備し、上記マイクロニードルアレイを上記ガイド部材に設置し、上記ガイド部材の上記複数の係合部に対する係合位置を順次ずらしていくことにより、上記マイクロニードルアレイの上記マイクロニードルの突き刺し位置を決定するとともに、上記穿刺対象領域全体をカバーするように構成されているので、広い範囲について容易に注射を行うことができる。このとき、穿刺対象領域の一部に対応したマイクロニードルユニットを備えたマイクロニードルアレイによって、上記ガイド部材の上記複数の係合部に対する係合位置を順次ずらしていくことにより、上記マイクロニードルアレイの上記マイクロニードルの突き刺し位置を決定するとともに、上記穿刺対象領域全体をカバーする注射を行うことになるので、穿刺対象領域の全てに対応したマイクロニードルを備えたマイクロニードルアレイによって一度の注射を行う場合に比べ、一回の注射あたりのマイクロニードルの数が減るために個々のマイクロニードルによる突き刺す力が大きくなり、確実に上記マイクロニードルの突き刺しを行い、液体の外部へ漏れ出しを確実に防止することができる。
また、上記複数の係合部の数を増やすことで、上記マイクロニードルアレイによる注射を行う箇所を増やすことができ、マイクロニードルの数を増加させた新たなマイクロニードルアレイを作成することなく注射を行うことのできる範囲を容易に拡大させることができる。また、上記マイクロニードルの突き刺し位置の設定や上記ガイド部材ひいては上記マイクロニードルアレイの上記突き刺し位置での固定を容易且つ確実に行うことができる。また、上記ガイド部材の係合位置を移動させながら突き刺しをおこなうことで、所定の複数箇所への突き刺しを容易に行うことができる。
また、請求項２記載のマイクロニードルアレイ装置は、上記ガイド部材には傾斜面が設けられており、上記マイクロニードルアレイは上記ガイド部材の傾斜面に沿って移動可能に設置されるものであるため、上記マイクロニードルアレイのマイクロニードルによる突き刺し操作を容易に行うことができる。特に、上記マイクロニードルを対象物に対して傾斜させて突き刺すことが容易である。
また、請求項３記載のマイクロニードルアレイ装置は、上記マイクロニードルユニットケースには上記ガイド部材上での上記マイクロニードルアレイの傾斜面下り方向への移動を所定量に規制する移動規制部材が設けられており、上記移動規制部材による移動規制量を増減することによって上記マイクロニードルの突き刺し量を調整するようにしたため、上記マイクロニードルの突き刺し深さを容易に調整することができる。また、これにより、上記ガイド部材の係合位置を移動させながら突き刺しをおこなう場合にそれぞれの係合位置に対応する突き刺し位置での対象物の固さ等が異なっていても、均等に上記マイクロニードルを突き刺すことができる。
また、請求項４記載のマイクロニードルアレイ装置は、上記マイクロニードルユニットケースの後方側には上記マイクロニードルアレイを上記ガイド部材の傾斜面に沿って移動させるように駆動する駆動手段が設けられており、上記駆動手段による移動量を増減することによって上記マイクロニードルの突き刺し量を調整するようにしたため、上記マイクロニードルアレイの移動及び上記マイクロニードルによる突き刺し量の調整を容易に行うことができる。また、上記ガイド部材の係合位置を移動させながら突き刺しをおこなう場合において、対象物の固さ等が異なる場所に対しても均等に上記マイクロニードルを突き刺すことができる。
また、請求項５記載のマイクロニードルアレイ装置は、上記設置部には上記マイクロニードルアレイによる注射位置に対応する貫通孔が形成されているため、設置部によって対象物を固定して上記マイクロニードルを確実に突き刺すことができる。また、上記貫通孔を通して上記対象物上における上記マイクロニードルの突き刺さり箇所を容易に観察することや、上記マイクロニードルの突き刺さり深さを容易に測定することができる。
また、請求項６記載のマイクロニードルアレイ装置は、上記設置部には上記マイクロニードルアレイによる突き刺しの対象物を固定する対象物固定部が設けられているため、上記対象物の所定位置に確実に上記マイクロニードルを突き刺すことができる。
また、請求項７記載のマイクロニードルアレイ装置は上記マイクロニードルアレイユニットの内部には上記マイクロニードル先端側の開口部と連通されたマイクロニードル側流路が設けられており、上記マイクロニードルユニットケースには上記マイクロニードル側流路と連通されるケース側流路が設けられているため、複雑な流路を有するマイクロニードルアレイユニットを容易に構成することができる。
また、請求項８記載のマイクロニードルアレイ装置は、請求項１〜請求項７の何れかに記載のマイクロニードルアレイ装置において、上記穿刺対象領域は複数のマイクロニードルを複数列・複数行に配置してカバーされるものであり、上記マイクロニードルユニットは複数のマイクロニードルを一列に配置して構成されているため、上記穿刺対象領域に対する上記マイクロニードルの突き刺しを容易に行うことができる。
【図面の簡単な説明】
【００１１】
【図１】本願発明の第１の実施の形態を示す図であり、本実施の形態によるマイクロニードルアレイ装置を示す斜視図である。
【図２】本願発明の第１の実施の形態を示す図であり、本実施の形態によるマイクロニードルアレイ装置の設置部を示す分解斜視図である。
【図３】本願発明の第１の実施の形態を示す図であり、図３（ａ）は本実施の形態によるマイクロニードルアレイ装置の設置部の対象物固定部を示す平面図、図３（ｂ）は図３（ａ）におけるｂ−ｂ断面図である。
【図４】本願発明の第１の実施の形態を示す図であり、本実施の形態によるマイクロニードルアレイ装置のマイクロニードルアレイとガイド部材とサーフェスプレートを示す分解斜視図である。
【図５】本願発明の第１の実施の形態を示す図であり、本実施の形態によるマイクロニードルアレイ装置に用いられるマイクロニードルアレイを示す分解斜視図である。
【図６】本願発明の第１の実施の形態を示す図であり、本実施の形態によるマイクロニードルアレイ装置に用いられるマイクロニードルユニットを示す分解斜視図である。
【図７】本願発明の第１の実施の形態を示す図であり、本実施の形態によるマイクロニードルアレイ装置に用いられるマイクロニードルユニットを下側から見た斜視図である。
【図８】本願発明の第１の実施の形態を示す図であり、図７のＶＩＩＩ−ＶＩＩＩ断面図である。
【図９】本願発明の第１の実施の形態を示す図であり、本実施の形態によるマイクロニードルアレイ装置に用いられるマイクロニードルユニットの一部斜視図である。
【図１０】本願発明の第１の実施の形態を示す図であり、本実施の形態によるマイクロニードルアレイ装置に用いられるマイクロニードルユニットの一部分解斜視図である。
【図１１】本願発明の第１の実施の形態を示す図であり、図１１（ａ）は本実施の形態によるマイクロニードルアレイ装置のマイクロニードルアレイ、ガイド部材、及び、サーフェスプレートを示す側面図であり、マイクロニードルアレイの突き刺し量調整ネジを前進させて突き刺し量を小さくした状態を示す図、図１１（ｂ）は本実施の形態によるマイクロニードルアレイ装置のマイクロニードルアレイ、ガイド部材、及び、サーフェスプレートを示す側面図であり、マイクロニードルアレイの突き刺し量調整ネジを後退させて突き刺し量を大きくした状態を示す図である。
【図１２】本願発明の第１の実施の形態を示す図であり、図１２（ａ）は本実施の形態によるマイクロニードルアレイ装置のマイクロニードルアレイ、ガイド部材、及び、サーフェスプレートを示す平面図であり、サーフェスプレート上においてマイクロニードルアレイが設置されたガイド部材を移動させながら注射を行う様子を示す図、図１２（ｂ）は本実施の形態によるマイクロニードルアレイ装置のマイクロニードルアレイ、ガイド部材、及び、サーフェスプレートを示す側面図であり、サーフェスプレート上においてマイクロニードルアレイが設置されたガイド部材を移動させながら注射を行う様子を示す図である。
【図１３】本願発明の第２の実施の形態を示す図であり、本実施の形態によるマイクロニードルアレイ装置のマイクロニードルアレイ、ガイド部材、及び、サーフェスプレートを示す側面図である。
【図１４】従来例を示す図で、図１４（ａ）は従来のマイクロニードルアレイのマイクロニードルを皮膚に対して垂直にして注射を行う様子を示す断面図、図１４（ｂ）は従来のマイクロニードルを皮膚に対して傾斜させて注射を行う様子を示す断面図である。
【発明を実施するための形態】
【００１２】
図１乃至図１２を用いて、本願発明の第１の実施の形態について説明する。本実施の形態によるマイクロニードルアレイ装置１は、図１に示すように、設置部３とガイド部材５とマイクロニードルアレイ７とから構成されている。
【００１３】
まず、上記設置部３の構成について説明する。
上記設置部３には、図２に示すように、略Ｕ字型の断面形状を成す対象物固定部９がある。この対象物固定部９は、底板９ａと、この底板９ａの幅方向（図２中左上から右下方向）両端から上側（図２中上側）へ垂直に立設された側板９ｂ、９ｂと、上記底板９ａの幅方向（図２中左上から右下方向）両端から下側（図２中下側）へ突出・形成された脚部９ｃ、９ｃとから構成されている。
また、上記底板９ａには、図２や図３に示すように、複数（本実施の形態においては４つ）の溝９ｄが形成されている。この溝９ｄは、図３（ｂ）に示すように、略逆Ｔ字型の断面形状を成している。
また、上記側板９ｂの上端面（図２中上側の面）には、複数（本実施の形態においては７つ）のネジ穴９ｅが設けられている。
【００１４】
また、上記対象物固定部９には略直角三角形形状の断面形状を有する固定ブロック１１が設置されている。上記固定ブロック１１は、一つの上記溝９ｄについて、２つずつ設置されている。上記２つずつの固定ブロック１１は、その断面形状の直角三角形の斜辺側の面を向かい合わせた状態で、上記溝９ｄに沿って移動可能に設置されている。また、上記溝９ｄ内には、上記底板９ａの下側（図３（ｂ）中下側）から固定部材１３が挿入されている。この固定部材１３は、その頭部１３ａが上記溝９ｄ内に当接し、軸部１３ｂが上記溝９ｄを貫通し上記底板９ａの上側（図３（ｂ）中上側）に突出している。上記固定ブロック１１は、図３（ｂ）に示すように、上記底板９ａの上側（図３（ｂ）中上側）に突出した上記固定部材１３の軸部１３ｂに固定されており、これによって、個々の上記固定部材１３は上記溝９ｄに沿って移動できるようになっている。
【００１５】
上記対象物固定部９には対象物１０が設置・固定される。この対象物１０は、例えば、マウスなどの実験動物であり、図２に示すように、向かい合った上記固定ブロック１１の間に設置・固定される。その際、上記固定ブロック１１を上記溝９ｄに沿って移動させることで、個々の上記固定ブロック１１の位置を上記対象物１０に合わせることができる。また、上記固定ブロック１１の位置を適宜調整することで、上記対象物１０の上記対象物固定部９内での位置や角度を調整することができる。
【００１６】
また、上記対象物固定部９の上端面（図２中上側の面）には天板１５が取り付けられている。この天板１５は略長方形形状の板状部材であり、その中央付近には、略長方形形状のサーフェスプレート取付孔１５ａが形成されている。このサーフェスプレート取付孔１５ａの幅方向（図２中左上から右下方向）両端側には、係止ピン用凹部１５ｂ、１５ｂが形成されている。
また、上記天板１５の幅方向（図２中左上から右下方向）両端側のそれぞれには、複数（本実施の形態においては７つ）の貫通孔１５ｃが穿孔されている。この貫通孔１５ｃは、上記対象物固定部９のネジ孔９ｅに対応するものである。また、上記天板１５のサーフェスプレート取付用孔１５ａの周辺の複数箇所（本実施の形態においては３箇所）には、ネジ穴１５ｄが形成されている。
上記天板１５は、上記貫通孔１５ｃを貫通し上記対象物固定部９のネジ穴９ｅに螺合されるネジ１５ｅによって、上記対象物固定部９に固定されている。
【００１７】
また、上記天板１５にはサーフェスプレート１７が設置されている。このサーフェスプレート１７は、図２に示すように、略Ｕ字形状の断面形状を成しており、底板１７ａと、この底板１７ａの幅方向（図２中左上から右下方向）両端から垂直に上方（図２中上方向）へと立設された側板１７ｂ、１７ｂ′とからなっている。上記サーフェスプレート１７の底板１７ａの前方側（図２中左下側）には、複数（本実施の形態の場合には３６個）の貫通孔１７ｃが形成されている。この貫通孔１７ｃは、１列あたり６個形成されており、この列が６行にわたって形成されている。なお、上記貫通孔１７ｃは後述する穿刺対象領域に対応して形成されたものである。
【００１８】
また、上記サーフェスプレート１７の側板１７ｂの後方側（図２中右上側）には係合部１７ｄ１〜１７ｄ６が形成されている。この係合部１７ｄ１〜１７ｄ６は、上記側板１７ｂの一部の６箇所を切欠いたものであり、上方（図２中上側）に向けて開口している。また、上記側板１７ｂ′についても同様に係合部１７ｄ１′〜１７ｄ６′が形成されている。
また、上記側板１７ｂの係合部１７ｄ１と上記側板１７ｂ′の係合部１７ｄ１′とは、上記側板１７ｂ、１７ｂ′の長さ方向（図２中左下から右上方向）の位置が一致している。上記係合部１７ｄ２〜１７ｄ６と上記係合部１７ｄ２′〜１７ｄ６′についても、同様の対応関係となっている。
【００１９】
また、上記側板１７ｂの前方側（図２中左下側）には、幅方向外側（図２中左上側又は右下側）にむけて取付部１７ｅが突出・形成されている。この取付部１７ｅには貫通孔１７ｆが形成されている。また、上記側板１７ｂ′についても、同様に、取付部１７ｅ′が突出・形成されていて、この取付部１７ｅ′には貫通孔１７ｆ′が形成されている。
また、上記底板１７ａの後端からは取付部１７ｇが突出・形成されている。この取付部１７ｇには貫通孔１７ｈが形成されている。
また、上記サーフェスプレート１７は、上記貫通孔、１７ｆ、１７ｆ′、１７ｈを貫通し、上記天板１５のネジ穴１５ｄ、１５ｄ、１５ｄに螺合されるネジ１７ｉによって、上記天板１５に固定されている。
以上が、設置部３の構成についての説明である。
【００２０】
次に、ガイド部材５について説明する。
上記ガイド部材５は、図１及び図４に示すように、上記サーフェスプレート１７上に設置されている。
上記ガイド部材５には、まず、図４に示すように、ガイド部材本体１９がある。このガイド部材本体１９は、その前方側に傾斜面１９ａが形成されている。また、上記傾斜面１９ａの幅方向（図４中左上から右下方向）両端側には、ガイド部１９ｂ、１９ｂが形成されている。
【００２１】
また、上記ガイド部材本体１９の後方側（図４中右上側）の幅方向（図４中左上から右下方向）両端側には係合ピン２１、２１が突出・配置されている。上記係合ピン２１、２１のうち右側（図４中左上側）のもの（図４中には図示せず）が、上記サーフェスプレート１７の側板１７ｂの係合部１７ｄ１〜１７ｄ６の何れかに係合されると共に、上記係合ピン２１、２１のうち左側（図４中右下側）のものが、上記サーフェスプレート１７の側板１７ｂ′の係合部１７ｄ１′〜１７ｄ６′のうちの何れかに係合されることで、上記ガイド部材５は上記サーフェスプレート１７上に設置される。なお、上記係合ピン２１、２１は幅方向（図４中左上から右下方向）に一直線上に並んでおり、例えば、一方の係合ピン２１が上記係合部１７ｄ１と係合する場合は、他方の係合ピン２１は上記係合部１７ｄ１′と係合するようになっている。
【００２２】
また、図４に示すように、上記ガイド部材本体１９には押え板２３が設けられている。この押え板２３は、上記ガイド部１９ｂ、１９ｂの前端側（図４中左下側）において、上記傾斜面１９ａを跨ぐように配置されている。
以上がガイド部材５の構成についての説明である。
【００２３】
次に、マイクロニードルアレイ７の構成について説明する。
上記マイクロニードルアレイ７には、まず、図５に示すように、マイクロニードルユニットケース本体２５がある。このマイクロニードルユニットケース本体２５の前方側（図５中左下側）の一部が切欠かれ、収納部２５ａが形成されている。また、上記マイクロニードルケース本体２５の後方側（図５中右上側）にはネジ穴２５ｂ、２５ｂが形成されている。
【００２４】
上記マイクロニードルユニットケース本体２５の後方側にはストッパ２７が設けられている。このストッパ２７は９０°に折れ曲がった形状を成している。そして、上記ストッパ２７の図５中上側の辺には貫通孔２７ａ、２７ａが形成されており、図５中下側の辺には図示しないネジ孔が形成されている。上記ストッパ２７は、上記貫通孔２７ａ、２７ａと貫通し、上記マイクロニードルユニットケース本体２５のネジ穴２５ｂ、２５ｂと螺合するネジ２９、２９によって、上記マイクロニードルユニットケース本体２５に固定されている。また、上記ストッパ２７の図示しないネジ孔には、移動規制部材としての調製ネジ２８が螺合されている。この調整ネジ２８は回転されることによって進退し、その軸部２８ａの先端側が上記ストッパ２７を貫通して前方側に突出することもある。上記調整ネジ２８の軸部の突出量によって、後述するマイクロニードル４１の突き刺し深さが調整される。
【００２５】
また、上記マイクロニードルケース本体２５の収納部２５ａの後方側（図５中右上側）には、流路ユニット３３が収納されている。この流路ユニット３３は、内部に図示しないケース側流路が形成されている。また、上記流路ユニット３３には、上記ケース側流路の開口部である一つの注入口３３ａと複数（本実施の形態の場合においては６つ）のケース側流路開口部３３ｂが設けられている。
そして、上記マイクロニードルユニットケース本体２５と上記ストッパ２７と上記流路ユニット３３によって、マイクロニードルユニットケース３１が構成されている。
【００２６】
また、上記マイクロニードルケース本体２５の収納部２５ａの前端側（図５中左下側）には、マイクロニードルユニット３５が収納されている。このマイクロニードルユニット３５は、図６に示すように２つ割り構造になっていて、主針側分割要素３７と副針側分割要素３９とから構成されている。上記マイクロニードルユニット３５はこれら主針側分割要素３７と副針側分割要素３９とを貼り合わせることにより構成されている。
【００２７】
また、図７に示すように、上記マイクロニードルユニット３５には、複数個（本実施の形態の場合には６個）のマイクロニードル４１が設けられている。この複数個（本実施の形態の場合には６個）のマイクロニードル４１は一列に配置されているものであり、後述する穿刺対象領域の一列分を一回の注射でカバーできるものである。また、上記６個のマイクロニードル４１の基部には流路ボス４３が設けられている。これら流路ボス４３には、後述するマイクロニードル側流路４９が開口されている。そして、上記流路ボス４３が上記流路ユニット３３のケース側流路開口部３３ｂに差し込まれることで、上記マイクロニードルユニット３５と上記流路ユニット３３とが接続される。また、上記マイクロニードルユニット３５と上記流路ユニット３３とが接続されると、上記マイクロニードル側流路４９と上記ケース側流路も、上記ケース側流路開口部３３ｂと上記流路ボス４３に設けられた上記マイクロニードル側流路４９の開口部とによって接続される。
【００２８】
上記主針側分割要素３７と副針側分割要素３９との接合面側の構成を詳しく説明する。図１０に示すように、まず、主針側分割要素３７側には、第１嵌合溝４５ａが形成されていて、この第１嵌合溝４５ａの中央部に第２嵌合溝４５ｂが形成されている。また、先端部には、更に別の第３嵌合溝４５ｃが形成されている。
【００２９】
一方、上記副針側分割要素４５側には、比較的大きな第１嵌合リブ４７ａが突出・形成されている。この第１嵌合リブ４７ａの中央部には一対の第２嵌合リブ４７ｂ、４７ｂが突出・形成されている。また、先端部には、更に別の第３嵌合リブ４７ｃ突出・形成されている。
【００３０】
そして、上記主針側分割要素３７と副針側分割要素３９とを接合することにより、マイクロニードル側流路４９が形成されることになる。すなわち、第１嵌合溝４５ａに第１嵌合リブ４７ａを嵌合させる。又、第２嵌合溝４５ｂの両端に一対の第２嵌合リブ４７ｂ、４７ｂを嵌合させる。それによって、一対の第２嵌合リブ４７ｂ、４７ｂ間に上記マイクロニードル側流路４９の一部が形成されることになる。また、第３嵌合溝４５ｃ内に第３嵌合リブ４７ｃを嵌合させることになるが、その際、第３嵌合溝４５ｃ内と第３嵌合リブ４７ｃとの間には隙間が形成されるように構成されている。この隙間が上記マイクロニードル側流路４９の残りの部分となる。
【００３１】
又、上記マイクロニードル側流路４９の後端は既に説明したように流路ボス４３の部位まで延長されている（図９に示す。）。すなわち、図８に示すように、上記主針側分割要素３７側には、第４嵌合溝４５ｄが形成されており、一方、副針側分割要素３９側には、第４嵌合リブ４７ｄが形成されている。これら第４嵌合溝４５ｄと第４嵌合リブ４７ｄを隙間を存した状態で嵌合させることにより、流路ボス４３側のマイクロニードル側流路４９が構成されるものである。
尚、マイクロニードル４１の先端は非接着となっていて薬液流出口５１となっている。なお、この薬液流出口５１は、上記マイクロニードルアレイ７の裏側側（図５中紙面垂直方向裏面側）に開口されているものである。
【００３２】
このように、第１嵌合溝４５ａ、第２嵌合溝４５ｂ、第３嵌合溝４５ｃ、第４嵌合溝４５ｄと、第１嵌合リブ４７ａ、一対の第２嵌合リブ４７ｂ、４７ｂ、第３嵌合リブ４７ｃ、第４嵌合リブ４７ｄを嵌合させてマイクロニードル側流路４９を形成する構成を採用することにより、上記主針側分割要素３７と副針側分割要素３９との強固な接合構造を得ることができる。また、上記副針側分割要素３９の先端部にはストレート部５２が設けられており、それによって、穿刺性を向上させるようにしている。
以上が、マイクロニードルアレイ７の構成についての説明である。
【００３３】
次に、本実施の形態によるマイクロニードルアレイ装置１の作用について説明する。
まず、図２に示すように、設置部３から天板１５を取り外し、対象物固定部９に対象物１０を設置・固定する。その際、上記対象物１０は向かい合った固定ブロック１１、１１の間に設置される。上記向かい合った固定ブロック１１、１１間の距離を上記対象物１０の大きさや形に合わせて適宜変更することによって、上記対象物１０は複数の上記固定ブロック１１によって固定される。また、上記固定ブロック１１を移動させることで、上記対象物１０の位置や角度を変更することもできる。
【００３４】
次に、上記対象物固定部９に天板１５を取り付けて設置部３を組み立てる。このとき、上記天板１５に設置されたサーフェスプレート１７は、上記対象物１０の上に位置している。そして、上記サーフェスプレート１７にガイド部材５を係合させて取り付ける。また、マイクロニードルアレイ装置１による注射の対象となる領域、すなわち、穿刺対象領域が上記対象物１０の表面上に設定されており、この穿刺対象領域の上に上記サーフェスプレート１７の貫通孔１７ｃの配列（本実施の形態の場合には６列×６行の配列）が配置されるように上記対象物１０の位置や角度が設定されている。
【００３５】
次に、上記マイクロニードルアレイ７による上記穿刺対象領域への注射を行う。
まず、上記ガイド部材５を、係合ピン２１、２１を、例えば、図１１に示すように、上記サーフェスプレート１７の係合部１７ｄ６、１７ｄ６′に係合させることで、上記サーフェスプレート１７上の所定の位置に固定させる。
【００３６】
次に、マイクロニードルアレイ７を上記ガイド部材５の傾斜面１９ａ上に設置する。このとき、上記マイクロニードルアレイ７の先端側は上記傾斜面１９ａと押え板２３との間に挿入された状態となっている。そして、上記マイクロニードルアレイ７の流路ユニット３３の注入口３３ａに図示しない薬液供給パイプを接続する。なお、この薬液供給パイプには図示しない薬液供給装置が接続されている。
【００３７】
次に、図１１（ａ）又は図１１（ｂ）に示すように、調整ネジ２８を適宜回転させ、その軸部の前方側（図１１中左下側）への突出量を調整することでマイクロニードル４１の突き刺し量を適宜調整する。
次に、図１１に示すように、上記マイクロニードルアレイ７を上記ガイド部材５の傾斜面１９ａに沿って下側に移動させ、複数のマイクロニードル４１を上記対象物１０に対して突き刺す。このとき、上記マイクロニードル４１は上記サーフェスプレート１７の貫通孔１７ｃを貫通し、上記対象物１０の所定の位置に突き刺さる。また、上記調整ネジ２８の先端が上記ガイド部材５の後端面（図１１中右上端面）に当接し、上記マイクロニードルアレイ７の移動が規制され、上記マイクロニードル４１が所定の長さだけ上記対象物１０に突き刺さる。
また、上記マイクロニードル４１は上記傾斜面１９ａの傾斜角度に合わせて傾斜しているため、上記対象物１０に対して斜めに突き刺さるものである。
【００３８】
そして、上記薬液供給装置を動作させて薬液を上記対象物１０内に注入し、上記薬液の注入が終了したら上記マイクロニードルアレイ７を上記傾斜面１９ａに沿って上側に移動させ、上記マイクロニードル４１を上記対象物１０から抜く。
なお、上記対象物１０の所定位置での硬さが硬い等の理由により、前述した上記対象物１０の所定位置でのマイクロニードル４１の突き刺しが上手く行われなかった場合は、上記調整ネジ２８による上記マイクロニードル４１の突き刺し深さの調整を再度行いつつ、上記マイクロニードル４１の突き刺しを繰り返し行う。
【００３９】
以上の上記マイクロニードル４１の突き刺し及び注射は、上記サーフェスプレート１７の係合部１７ｄ６、１７ｄ６′の位置におけるものである。また、上記マイクロニードルアレイ７の複数のマイクロニードル４１により、上記穿刺対象領域の一列分に対する注射が完了したことになる。
【００４０】
次に、図１１中右側に少し移動させた位置での上記マイクロニードル４１の突き刺し及び注射を行うため、上記サーフェスプレート１７から上記ガイド部材５を取り外し、上記ガイド部材５の係合ピン２１、２１を上記サーフェスプレート１７の係合部１７ｄ５、１７ｄ５′に係合させることで上記ガイド部材５を上記サーフェスプレート１７に再び取り付ける。
【００４１】
そして、前述したようなマイクロニードル４１の突き刺しと注射をこの位置においても行う。これにより、上記サーフェスプレート１７の係合部１７ｄ５、１７ｄ５′の位置における上記マイクロニードル４１の突き刺し及び注射が行われる。これは、先ほどの上記サーフェスプレート１７の係合部１７ｄ６、１７ｄ６′の位置から所定距離だけ移動した位置における、上記マイクロニードル４１の突き刺し及び注射となる。
【００４２】
以上のようにして、図１２に示すように、上記係合部１７ｄ６（１７ｄ６′）〜１７ｄ１（１７ｄ１′）に対して順に上記ガイド部材５を係合させていき、上記ガイド部材５の移動とマイクロニードル４１の突き刺し及び注射を繰り返し行うと、本実施の形態の場合には、対象物１０上の一列に並んだ６箇所への注射を６列分行い、合計３６箇所への注射を行うことになる。これにより、上記穿刺対象領域の全てに対する注射が完了することになる。
【００４３】
なお、一列ごとに注射する薬液を変更して、所定の場所での薬液の効果を調査することが考えられる。
また、上記係合部間の距離が異なるサーフェスプレート１７を用いて、前述した一列ごとの突き刺し及び注射を様々な間隔で行うことが考えられる。上記サーフェスプレート１７はネジ１７ｉ、１７ｉ、１７ｉによって天板１５に固定されているので、その交換は容易である。
また、上記サーフェスプレート１７の貫通孔１７ｃから、上記対象物１０上の上記マイクロニードル４１が突き刺さる箇所をそれぞれ観察することも考えられる。これにより、上記マイクロニードル４１の突き刺し深さを傾斜角度より推定することも考えられる。また、図１２（ｂ）に示すように、カメラＡによって上記対象物１０上の上記マイクロニードル４１による突き刺し箇所を撮影することもできる。
【００４４】
次に、本実施の形態によるマイクロニードルアレイ装置１の効果について説明する。
まず、設置部３のサーフェスプレート１７には複数の係合部１７ｄ１（１７ｄ１′）〜１７ｄ６（１７ｄ６′）が設けられており、この係合部１７ｄ１（１７ｄ１′）〜１７ｄ６（１７ｄ６′）に、順次、ガイド部材５を係合・固定させ、このガイド部材５によってマイクロニードルアレイ７をガイドさせて注射を行うため、広い範囲について容易に注射を行うことができる。このとき、穿刺対象領域となる３６箇所（６列×６行）の一列分に対応したマイクロニードル４１（６つのマイクロニードル４１）を備えたマイクロニードルアレイ７によって複数回（６回）の注射を行うことによって全ての箇所に注射を行うことになるので、上記穿刺対象領域の全てに対応したマイクロニードル（３６個のマイクロニードル）を備えたマイクロニードルアレイによって一度の注射を行う場合に比べ、一回の注射あたりのマイクロニードル４１の本数が減るために個々のマイクロニードル４１による突き刺す力が大きくなり、確実に上記マイクロニードル４１の対象物１０への突き刺しを行い、上記対象物１０外への液体の漏れ出しを確実に防止することができる。
なお、上記サーフェスプレート１７の係合部の数を増やすことで、上記マイクロニードルアレイ７による注射を行う箇所を増やすことができ、マイクロニードルの数を増加させた新たなマイクロニードルアレイを作成することなく注射を行うことのできる範囲を容易に拡大させることができる。
【００４５】
また、ガイド部材５のガイド部材本体１９には傾斜面１９ａが設けられているため、この傾斜面１９ａに沿ってマイクロニードルアレイ７を移動させることによりマイクロニードル４１の突き刺しを容易に行うことができる。これは、上記マイクロニードル４１を対象物１０に対して斜めに傾斜させた状態で突き刺すことができるため、上記対象物１０の表面が変形し難いことによるものである。
また、上記マイクロニードル４１は上記対象物１０に対して斜めに突き刺さるので、上記対象物１０表面からの垂直深さがそれほど大きくなくても上記マイクロニードル４１先端の多くの部分が上記対象物１０内に入り込むため、上記対象物１０に苦痛を与えることなく、且つ、薬液の上記対象物１０外への流出を防止することができる。
また、上記マイクロニードル４１薬液流出口５１は、上記マイクロニードルアレイ７の裏側（図１１中下側）、すなわち、上記対象物１０の内部側に開口されているものであるため、このことによっても、上記薬液の上記対象物１０外への流出を防止することができる。
【００４６】
また、上記マイクロニードルアレイ７には調整ネジ２８が設けられているため、これによって上記マイクロニードル４１の突き刺し深さを容易に調整することができる。
また、上記マイクロニードルアレイ７には１列に６個の上記マイクロニードル４１が並んでいるため、一度に一列に並んだ６箇所に対して突き刺し及び注射を行うことができる。
【００４７】
また、上記ガイド部材５には係合ピン２１、２１が設けられており、この係合ピン２１、２１をサーフェスプレート１７の係合部１７ｄ１〜１７ｄ６、１７ｄ１′〜１７ｄ６′に係合させることで上記ガイド部材５を上記サーフェスプレート１７に固定するため、容易に上記ガイド部材５を上記サーフェスプレート１７上の所定位置に固定することができ、それによって、上記マイクロニードル４１の突き刺し位置を容易に設定することができる。
また、上記ガイド部材５を係合させる位置を、例えば、係合部１７ｄ６、１７ｄ６′から係合部１７ｄ１、１７ｄ１′へと順次移動させることにより、所定の間隔ごとに６列分の突き刺し及び注射を容易に行うことができる。
また、上記係合部間の距離が異なるサーフェスプレート１７を用意しておけば、上記一列に並んだ６箇所に対する突き刺し及び注射を、様々な間隔において行うことができる。また、上記サーフェスプレート１７は天板１５に対してネジ止めされているだけなので、容易に交換することができる。
【００４８】
また、一列ごとに上記マイクロニードル４１の突き刺し深さを調整することができるため、上記対象物１０上の場所ごとに硬さに差があっても、上記マイクロニードル４１を確実且つ均等に突き刺すことができる。
また、前述したように、上記対象物１０の表面の硬さは場所によって異なっているが、このことから、上記対象物１０上において、どの場所が突き刺しやすいのか調査する必要がある。また、これに加えて、薬剤効果の効率や安全性を高めるため、例えば、上記対象物１０上において、どの場所にどのような薬剤を注入するとどのような効果があるのか、という因果関係を調査することも重要である。本実施の形態によるマイクロニードルアレイ装置１は、一列ごとに異なった突き刺し深さを設定して突き刺すことができるため、これらのような調査を、一列ごとにではあるが、容易に行うことができる。
【００４９】
また、上記サーフェスプレート１７に貫通孔１７ｃが設けられており、この貫通孔を上記マイクロニードル４１が貫通するようになっているため、上記サーフェスプレート１７で上記対象物１０を押えて確実な注射を行うことができる。また、上記貫通孔１７ｃから上記対象物１０上の突き刺し箇所を観察し、上記マイクロニードル４１が突き刺さっている様子や突き刺さり深さを容易に知ることもできる。
また、設置部３には、溝９ｄに沿って移動可能な固定ブロック１１が設置された対象物固定部９が設けられているため、上記対象物１０の設置、固定、及び、位置や角度の調整が容易である。
【００５０】
また、上記マイクロニードルアレイ７は、マイクロニードルユニットケース３１とマイクロニードルユニット３５とから構成されていて、上記マイクロニードルユニットケース３１にはケース側流路を備えた流路ユニット３３が設けられており、上記マイクロニードルユニット３５にはマイクロニードル側流路４９が設けられており、上記流路ユニット３３と上記マイクロニードルユニット３５は上記流路ユニット３３のケース側流路開口部３３ｂに上記マイクロニードル３５の流路ボス４３が差し込まれることによって接続されるので、枝分かれした複雑な流路を持つ上記マイクロニードルアレイ７を容易に構成することができる。
【００５１】
次に、図１３を用いて、本願発明の第２の実施の形態について説明する。
本実施の形態によるマイクロニードルアレイ装置も、前述した第１の実施の形態によるマイクロニードルアレイ装置１と略同様の構成となっているが、被ガイド部材およびマイクロニードルアレイの構成が一部異なっている。
以下、共通する構成要素については同一の符号を付して、その構成について説明する。
【００５２】
まず、被ガイド部材５の後端面（図１３中右上端面）には、回転可能に駆動ネジ５３が設けられている。この駆動ネジ５３の軸部５３ａには雄ネジ部５３ｂが形成されており、上記軸部５３はマイクロニードルアレイ７のストッパ２７に形成された貫通孔５５内の雌ネジ部５５ａに螺合されている。すなわち、上記駆動ネジ５３と上記雌ネジ部５５ａとが相互作用し、上記マイクロニードルアレイ７を移動させる駆動手段として機能するように構成されている。
上記駆動ネジ５３は、手などによって回転されるほか、図示しないモータ等によって回転されるものである。
また、マイクロニードルユニットケース３１の表面には図示しない目盛が表示されているとともに、ガイド部材本体１９には図示しない基準マークもしくは目盛が表示されている。これにより、上記マイクロニードルアレイ７の移動量が計測できるようになっている。
なお、その他の部分の構成については、前述した第１の実施の形態の場合と同様である。
【００５３】
次に、本実施の形態によるマイクロニードルアレイ装置の作用について説明する。
本実施の形態によるマイクロニードルアレイ装置も前述した第１の実施の形態によるマイクロニードルアレイ装置１と略同様の作用を奏するが、以下の点が異なっている。
すなわち、本実施の形態によるマイクロニードルアレイ装置は、上記駆動ネジ５３が回転されると、上記駆動ネジ５３の雄ネジ部５３ｂとマイクロニードルアレイ７のストッパ２７の雌ネジ部５５ａとが相互作用することで、上記マイクロニードルアレイ７が進退するようになっているものである。そして、上記マイクロニードルユニットケース３１の目盛とガイド部材本体１９の基準マークや目盛によって、上記マイクロニードルアレイ７の移動量、ひいては、上記マイクロニードル４１の突き刺さり量がわかるようになっている。そのため、上記駆動ネジ５３の回転を適宜止めることで、上記マイクロニードル４１の突き刺さり量が調整されることになる。
【００５４】
本実施の形態によるマイクロニードルアレイ装置も、前述した第１の実施の形態によるマイクロニードルアレイ装置１と略同様の効果を奏するが、以下の点が異なっている。
すなわち、本実施の形態によるマイクロニードルアレイ装置は、上記駆動ネジ５３が回転されると、上記雄ネジ部５３ｂとマイクロニードルアレイ７のストッパ２７の雌ネジ部５５ａとが相互作用することで、上記マイクロニードルアレイ７が進退するようになっているため、上記駆動ネジ５３の回転操作によって上記マイクロニードルアレイ７の進退操作を容易に行うことができる。
また、上記マイクロニードルユニットケース３１の目盛によって上記マイクロニードル１４の突き刺さり量がわかるため、上記マイクロニードル４１の突き刺さり量を容易に調整することができるものである。
また、上記駆動ネジ５３を図示しないモータによって回転させる場合は、上記モータの制御により、容易に一定速度で上記マイクロニードル４１を突き刺すことができる。
【００５５】
なお、本発明は前述した第１の実施の形態や第２の実施の形態に限定されない。
例えば、マイクロニードル４１の個数、サーフェスプレート１７の貫通孔１７ｃの数は、様々な場合が考えられる。また、上記サーフェスプレート１７の係合部の数も様々な場合が考えられる。
また、前述した第１の実施の形態や第２の実施の形態の場合には、マイクロニードルユニットケース本体２５にストッパ２７をネジ止めして固定し、マイクロニードルユニットケース３１を構成していたが、上記マイクロニードルユニットケース３１を一体のものとして形成することもできる。
また、各部材の大きさ、形状、材質等も、第１の実施の形態や第２の実施の形態のようなものに限定されない。
【００５６】
また、上記サーフェスプレート１７の対象物１０側の面に接着剤を塗布したり両面テープを貼り付けたりし、この接着剤や両面テープによって上記対象物１０を上記サーフェスプレート１７に固定することも考えられる。この場合においては、上記対象物１０に対してマイクロニードル４１を突き刺す際に上記接着剤や両面テープごと突き刺しを行う。そのため、上記接着剤や両面テープによって上記対象物１０の表面の変形やずれが防止され、より容易且つ確実に上記マイクロニードル４１を突き刺すことができる。
なお、この場合、対象物固定部９や固定ブロック１１を用いないようにすることも考えられる。
【００５７】
また、第１の実施の形態の場合においても、マイクロニードルユニットケース３１に目盛を設け、調整ネジ２８による上記マイクロニードル４１の突き刺し量の決定の助けとすることも考えられる。
また、第１の実施の形態における調整ネジ２８を第２の実施の形態におけるマイクロニードルアレイに設けることも考えられる。すなわち、このようなマイクロニードルアレイ装置では、まず、上記調整ネジ２８によって予めマイクロニードル４１の突き刺さり量を決定しておき、その後、駆動ネジ５３によってマイクロニードルアレイ７を移動させていく。そうすると、上記調整ネジ２８がガイド部材５に当接することで上記マイクロニードルアレイ７の移動が規制され、マイクロニードル４１が所定量だけ対象物１０に突き刺されるものである。
【産業上の利用可能性】
【００５８】
本発明は、例えば、マイクロニードルを皮膚上の複数の箇所に突き刺して注射を行うマイクロニードルアレイ装置に係り、特に、１個又は複数個のマイクロニードルを皮膚上の硬さ等の異なる場所に対しても確実に突き刺すことができ、液体を外部に流出させることなく確実に皮膚内に注射できるように工夫したものに関し、例えば、実験動物用のマイクロニードルアレイ装置に好適である。
【符号の説明】
【００５９】
１  マイクロニードルアレイ装置
３  設置部材
５  ガイド部材
７  マイクロニードルアレイ
９  対象物固定部
１０  対象物
１１  固定ブロック
１７ｃ  貫通孔
１７ｄ１〜１７ｄ６  係合部
１７ｄ１′〜１７ｄ６′  係合部
１９ａ  傾斜面
２１  係合ピン
２８  調整ネジ（移動規制部材）
３１  マイクロニードルユニットケース
３３  流路ユニット
３５  マイクロニードルユニット
４９  薬液流路（マイクロニードル側流路）
５３  駆動ネジ（駆動手段）
５５ａ  雌ネジ部（駆動手段）
【図１】
2013135731.tif 000003
【図２】
2013135731.tif 000004
【図３】
2013135731.tif 000005
【図４】
2013135731.tif 000006
【図５】
2013135731.tif 000007
【図６】
2013135731.tif 000008
【図７】
2013135731.tif 000009
【図８】
2013135731.tif 000010
【図９】
2013135731.tif 000011
【図１０】
2013135731.tif 000012
【図１１】
2013135731.tif 000013
【図１２】
2013135731.tif 000014
【図１３】
2013135731.tif 000015
【図１４】
2013135731.tif 000016